(57)【要約】【課題】  コンタクトが埃や塵に晒されるような使用条件下でもこれを保護して導電性を安定維持できると共に、多様に狭ピッチ化された配線パターンを持つ接続対象物でも嵌合接続を適用し得る端子構造を持つコネクタを提供すること。【解決手段】  このコネクタの場合、ハウジング１に固定保持される各コンタクト３，４については、嵌合方向で接続対象物であるＦＰＣ５に対する接触部３１，４１を異なる箇所に持ち、且つ端子部３４，４４を互い反対方向の箇所に持つ２種のものを嵌合方向を含む平面上において垂直な方向へ交互に列設し、ハウジング１に取り付けられて回動操作に供される操作部材２については、ハウジング１における嵌合口１１の奥側に揃って位置されるコンタクト４の端子部４４を閉状態でカバー部２３により覆い、更にＦＰＣ５との嵌合接続状態ではコンタクト３の嵌合口１１の手前側の端子部３４もＦＰＣ５により覆われる構造となる。【選択図】      図８
2007122966.tif 000002
【特許請求の範囲】
【請求項１】
接続対象物との接触に供される接触部を有する所定数のコンタクトと、前記所定数のコンタクトが固定保持されると共に、前記接続対象物を挿入嵌合するための嵌合口を有するハウジングと、前記接続対象物に対して挿入可能にする開位置と接続可能にする閉位置との間で回動自在に前記ハウジングに取り付けられると共に、該閉位置で前記所定数のコンタクトにおける前記接触部を該接続対象物へ向けて押圧する操作部材とを備えたコネクタにおいて、前記操作部材は、前記開位置への回動操作に際して前記ハウジングにおける前記嵌合口の入口側とは嵌合方向で反対側の外形端部に位置される突出部と嵌合する凹部と、前記閉位置で前記所定数のコンタクトにおける前記枢支部に対して回転係止して押圧するカム部と、前記閉位置で前記所定数のコンタクト間に配置されると共に、少なくとも一部が前記ハウジングにおける前記突出部と対向配置される前記所定数のリブとを有することを特徴とするコネクタ。
【請求項２】
請求項１記載のコネクタにおいて、前記所定数のコンタクトは、嵌合方向において前記接触部を前記嵌合口の中途部分の異なる箇所に位置されるように形成すると共に、該接触部に対して隔たった該嵌合口の入口側の箇所に位置されるように一体的に形成された第１の端子部を有する第１のコンタクトと該接触部に対して隔たった該嵌合口の入口側とは反対側の箇所に位置されるように一体的に形成された第２の端子部を有する第２のコンタクトとを該嵌合方向を含む平面上で交互に列設して成り、前記操作部材は、前記閉位置に回動したときに前記第２の端子部を覆うカバー部を有し、更に、前記第１のコンタクトは、前記第１の端子部を含んで前記嵌合口の手前側から奥側へと嵌合方向で延在する端子片部、並びに前記接触部を含んで該嵌合口の中途部分から奥側へと嵌合方向で該端子片部とは略平行に延在する接触片部の間を連結した連結部と、前記接触片部において前記接触部に対して嵌合方向で反対の端側に形成された枢支部とを一体的に有し、前記第２のコンタクトは、前記第２の端子部を含んで前記嵌合口の奥側から中途部分へと嵌合方向で延在する端子片部、並びに前記接触部を含んで該嵌合口の中途部分から奥側へと嵌合方向で該端子片部とは略平行に延在する接触片部の間を連結した連結部と、前記接触片部において前記接触部に対して嵌合方向で反対の端側に形成された枢支部とを一体的に有することを特徴とするコネクタ。
【発明の詳細な説明】
【技術分野】
【０００１】
本発明は、主として全体がプリント配線基板等に実装接続固定されると共に、ＦＰＣ（Ｆｌｅｘｉｂｌｅ  Ｐｒｉｎｔｅｄ  Ｃｉｒｃｕｉｔ）等の接続対象物を嵌合接続するための構造を持つコネクタであって、詳しくはコンタクトの接続を安定性良く維持できると共に、多様に狭ピッチ化された配線パターンを持つ接続対象物を対象としても適用し得る構造を持つコネクタに関する。
【背景技術】
【０００２】
従来、この種のコネクタとしては、ＦＰＣやＦＦＣ（Ｆｌｅｘｉｂｌｅ  Ｆｌａｔ  Ｃａｂｌｅ）を操作性良く接続ずれを防止して接続し得る小型構造のもの（特許文献１参照）、複数の端子を接続してＦＰＣ等を操作性、保持性能を向上させて保持する構造のもの（特許文献２参照）、操作部材であるアクチュエータを小さい操作力で操作でき、アクチュエータによるコンタクトの移動量を大きくして接続を確実に行うことができる低背構造のもの（特許文献３参照）、ＦＰＣ又はＦＦＣを確実に嵌合口内に誘うことができ、ピッチが狭小化された小型化構造のもの（特許文献４参照）、ピッチの狭小化に対応できて接触部が両面にあるＦＰＣにも対応可能な構造のもの（特許文献５参照）、抜け止め部材等を設けなくても回転部材やコンタクトが抜けず、外形も小さい構造のもの（特許文献６参照）等が挙げられる。
【０００３】
その他、ゴミ等の異物が付着することによりコンタクト部分においてショート，マイグレーション，端子部の腐食等の発生を防止できる構造のもの（特許文献７参照）が挙げられる。
【０００４】
【特許文献１】特開平１０−２０８８１０号公報（要約）
【特許文献２】特開平１１−３０７１９８号公報（要約）
【特許文献３】特開２００２−２７０２９０号公報（要約）
【特許文献４】特開２００４−１７８９５８号公報（要約）
【特許文献５】特開２００４−２０６９８７号公報（要約）
【特許文献６】特開２００４−３４２４２６号公報（要約）
【特許文献７】特開２００５−２４３３９０号公報（要約）
【発明の開示】
【発明が解決しようとする課題】
【０００５】
上述した特許文献１〜特許文献６に係る何れのコネクタにおいても、ＦＰＣ等の接続対象物との嵌合接続時には、コンタクト（端子）における接続対象物が挿入される側の部分は接続対象物により覆われるために問題とならないが、その反対側の操作部材側の部分は露呈されるか、或いはハウジング等で部分的に覆われていても構造的に通気性を持つことにより外部から埃や塵等の異物が付着され易い構造であるため、使用条件下によってはショート，マイグレーション，端子部の腐食等を発生する危険性があるという問題があり、特許文献７のコネクタの場合には、操作部材がカバー部を有して操作部材側の部分を覆う構造であるため、こうした問題については解決できるようになっているが、この場合には同じ形状のコンタクトを列設しただけの構造であるため、昨今の信号配線パターンにおける狭ピッチ化を含めて多様化された複雑な配線パターンを有する接続対象物との嵌合接続に際して対応し切れない端子構造となっているという問題がある。
【０００６】
本発明は、このような問題点を解決すべくなされたもので、その技術的課題は、コンタクトが埃や塵に晒されるような使用条件下でもこれを保護して導電性を安定して維持できると共に、多様に狭ピッチ化された配線パターンを持つ接続対象物に対しても嵌合接続を適用し得る端子構造を持つコネクタを提供することにある。
【課題を解決するための手段】
【０００７】
本発明によれば、接続対象物との接触に供される接触部を有する所定数のコンタクトと、所定数のコンタクトが固定保持されると共に、接続対象物を挿入嵌合するための嵌合口を有するハウジングと、接続対象物に対して挿入可能にする開位置と接続可能にする閉位置との間で回動自在にハウジングに取り付けられると共に、該閉位置で所定数のコンタクトにおける接触部を該接続対象物へ向けて押圧する操作部材とを備えたコネクタにおいて、操作部材は、開位置への回動操作に際してハウジングにおける嵌合口の入口側とは嵌合方向で反対側の外形端部に位置される突出部と嵌合する凹部と、閉位置で所定数のコンタクトにおける枢支部に対して回転係止して押圧するカム部と、閉位置で所定数のコンタクト間に配置されると共に、少なくとも一部がハウジングにおける突出部と対向配置される所定数のリブとを有するコネクタが得られる。
【０００８】
又、本発明によれば、上記コネクタにおいて、所定数のコンタクトは、嵌合方向において接触部を嵌合口の中途部分の異なる箇所に位置されるように形成すると共に、該接触部に対して隔たった該嵌合口の入口側の箇所に位置されるように一体的に形成された第１の端子部を有する第１のコンタクトと該接触部に対して隔たった該嵌合口の入口側とは反対側の箇所に位置されるように一体的に形成された第２の端子部を有する第２のコンタクトとを該嵌合方向を含む平面上で交互に列設して成り、操作部材は、閉位置に回動したときに第２の端子部を覆うカバー部を有し、更に、第１のコンタクトは、第１の端子部を含んで嵌合口の手前側から奥側へと嵌合方向で延在する端子片部、並びに接触部を含んで該嵌合口の中途部分から奥側へと嵌合方向で該端子片部とは略平行に延在する接触片部の間を連結した連結部と、接触片部において接触部に対して嵌合方向で反対の端側に形成された枢支部とを一体的に有し、第２のコンタクトは、第２の端子部を含んで嵌合口の奥側から中途部分へと嵌合方向で延在する端子片部、並びに接触部を含んで該嵌合口の中途部分から奥側へと嵌合方向で該端子片部とは略平行に延在する接触片部の間を連結した連結部と、接触片部において接触部に対して嵌合方向で反対の端側に形成された枢支部とを一体的に有するコネクタが得られる。
【発明の効果】
【０００９】
本発明のコネクタの場合、多様に狭ピッチ化された配線パターンを持つ接続対象物との嵌合接続に十分に適用（対応）し得る端子構造を有するため、コンタクトが埃や塵に晒されるような使用条件下でもこれを十分に保護して導電性を安定して維持できる。
【発明を実施するための最良の形態】
【００１０】
本発明の最良の形態に係るコネクタは、ＦＰＣ等の接続対象物との接触に供される接触部を有する所定数のコンタクトと、各コンタクトが固定保持されると共に、接続対象物を挿入嵌合するための嵌合口を有するハウジングと、接続対象物に対して挿入可能にする開位置と接続可能にする閉位置との間で回動自在にハウジングに取り付けられると共に、閉位置で各コンタクトにおける接触部を接続対象物へ向けて押圧する操作部材とを備えた基本構造のものにおいて、操作部材は、開位置への回動操作に際してハウジングにおける嵌合口の入口側とは嵌合方向で反対側の外形端部に位置される突出部と嵌合する凹部と、閉位置で各コンタクトにおける枢支部に対して回転係止して押圧するカム部と、閉位置で各コンタクト間に配置されると共に、少なくとも一部がハウジングにおける突出部と対向配置される所定数のリブとを有するものである。
【００１１】
但し、このコネクタにおいて、各コンタクトについては、嵌合方向において接触部を嵌合口の中途部分の異なる箇所に位置されるように形成すると共に、接触部に対して隔たった嵌合口の入口側の箇所に位置されるように一体的に形成された第１の端子部を有する第１のコンタクトと接触部に対して隔たった嵌合口の入口側とは反対側の箇所に位置されるように一体的に形成された第２の端子部を有する第２のコンタクトとを嵌合方向を含む平面上で垂直な方向へ交互に列設して成るものとし、操作部材については、閉位置に回動したときに第２の端子部を覆うカバー部を有するものとし、更に、第１のコンタクトについては、第１の端子部を含んで嵌合口の手前側から奥側へと嵌合方向で延在する端子片部、並びに接触部を含んで嵌合口の中途部分から奥側へと嵌合方向で端子片部とは略平行に延在する接触片部の間を連結した連結部と、接触片部において接触部に対して嵌合方向で反対の端側に形成された枢支部とを一体的に有するものとし、第２のコンタクトについては、第２の端子部を含んで嵌合口の奥側から中途部分へと嵌合方向で延在する端子片部、並びに接触部を含んで嵌合口の中途部分から奥側へと嵌合方向で端子片部とは略平行に延在する接触片部の間を連結した連結部と、接触片部において接触部に対して嵌合方向で反対の端側に形成された枢支部とを一体的に有するものとすることが好ましい。
【００１２】
以下は、具体的な実施例を挙げ、本発明のコネクタについて、より詳細に説明する。
【実施例１】
【００１３】
図１は本発明の実施例１に係るコネクタの外観構成を接続相手部材であるＦＰＣ５との嵌合接続前状態で示した斜視図であり、図２はこのコネクタ単体の外観構成を別な方向から示した斜視図である。
【００１４】
この実施例１に係るコネクタは、ＦＰＣ５にあっての嵌合方向において手前側，先端側の異なる位置のパッド５１との接触に供される接触部を有する所定数のコンタクト３，４と、各コンタクト３，４が固定保持されると共に、ＦＰＣ５を挿入嵌合するための嵌合口を有するハウジング１と、ＦＰＣ５に対して挿入可能にする開位置と接続可能にする閉位置との間で回動自在なようにハウジング１に取り付けられると共に、閉位置で各コンタクト３，４における接触部をＦＰＣ５へ向けて押圧するアクチュエータによる操作部材２とを備えている。
【００１５】
図３は、この実施例１に係るコネクタの基本構造を操作部材２の開位置で第１のコンタクト３部分を露呈するように嵌合方向に沿って断面にして示した側面図である。又、図４は、このコネクタの基本構造を操作部材２の開位置で第２のコンタクト４部分を露呈するように嵌合方向に沿って断面にして示した側面図である。更に、図５は、このコネクタの細部構造を分解して示した斜視図である。
【００１６】
各図を参照すれば、この実施例１に係るコネクタは、ＦＰＣ５に対する挿入に供される嵌合口１１が設けられたハウジング１に対し、嵌合方向において接触部３１，４１を嵌合口１１の中途部分の異なる箇所に位置されるように形成すると共に、接触部３１とは隔たった嵌合口１１の入口側の箇所に位置されるように一体的に形成された第１の端子部３４を有する第１のコンタクト３と接触部４１とは隔たった嵌合口１１の入口側とは反対側の箇所に位置されるように一体的に形成された第２の端子部４４を有する第２のコンタクト４とを嵌合方向を含む平面上においてそれらのピッチ方向へ交互に列設して成るものとしている他、操作部材２については、後述するように閉位置に回動したときに第２の端子部４４を覆うカバー部２３を有している。このうち、第１の端子部３４，第２の端子部４４については、コネクタ全体が図示されないプリント配線基板等に実装接続固定される際の半田付け部として用いられる。
【００１７】
各部の細部構造を具体的に説明すると、第１のコンタクト３については、図３を参照すれば、第１の端子部３を含んでハウジング１の嵌合口１１の手前側から奥側へと嵌合方向で延在する端子片部、並びに接触部３１を含んで嵌合口１１の中途部分から奥側へと嵌合方向で端子片部とは略平行に延在する接触片部の間を連結した連結部３２と、接触片部において接触部３１とは嵌合方向で反対の端側に形成された枢支部３３とを一体的に有するものとなっている。
【００１８】
第２のコンタクト４については、図４を参照すれば、第２の端子部４４を含んでハウジング１の嵌合口１１の奥側から中途部分へと嵌合方向で延在する端子片部、並びに接触部４１を含んで嵌合口１１の中途部分から奥側へと嵌合方向で端子片部とは略平行に延在する接触片部の間を連結した連結部４２と、接触片部において接触部４１とは嵌合方向で反対の端側に形成された枢支部４３とを一体的に有するものとなっている。
【００１９】
操作部材２については、図３乃至図５を参照すれば、カバー部２３の開位置への回動操作に際してハウジング１における嵌合口１１の入口側とは嵌合方向で反対側の外形端部（ハウジング１における基板に載置される側を底壁１ａ，その反対側を上壁１ｂとしたときの上壁１ｂ端部を示す）に位置される突出部１２と嵌合する凹部２４と、カバー部２３の閉状態で第１のコンタクト３，第２のコンタクト４における枢支部３３，４３に対して回転係止して押圧するカム部２１と、カバー部２３の閉状態（後述する図８，図９に示されるもの）で第１のコンタクト３及び第２のコンタクト４の間に配置されると共に、少なくとも一部がハウジング１における突出部１２と対向配置される所定数のリブ２２とを有するものとなっている。因みに、第１のコンタクト３，第２のコンタクト４については、図５に示されるように、ハウジング１における嵌合口１１の入口側から第１のコンタクト３が装着固定されると共に、その嵌合口１１の入口側と反対側から第２のコンタクト４が装着固定されるようになっている。
【００２０】
図６はこの実施例１に係るコネクタのＦＰＣ５との嵌合接続状態を示した外観斜視図であり、図７はこのコネクタのＦＰＣ５との嵌合接続状態を別な方向から示した外観斜視図である。又、図８はこのコネクタのＦＰＣ５との嵌合接続状態における細部構造を操作部材２の閉位置で第１のコンタクト３部分を露呈するように嵌合方向に沿って断面にして示した側面図であり、図９は同様にこのコネクタのＦＰＣ５との嵌合接続状態における細部構造を操作部材２の閉位置で第２のコンタクト４部分を露呈するように嵌合方向に沿って断面にして示した側面図である。
【００２１】
これらの各図では、実施例１に係るコネクタのハウジング１における嵌合口１１の入口側からＦＰＣ５を挿入した後、操作部材２を閉位置まで回動操作して閉状態とすることにより、第１のコンタクト３，第２のコンタクト４の接触部３１，４１をＦＰＣ５の異なる位置のパッド５１と接触させて嵌合接続した状態を示している。このとき、操作部材２の凹部２４はハウジング１の突出部１２から離れるように回動変位し、これに伴ってカバー部２３は第２のコンタクト４の第２の端子部４４を覆う状態となるが、同時に嵌合口１１内では各リブ２２が上述したように第１のコンタクト３及び第２のコンタクト４の間に配置されてその全体がハウジング１における突出部１２と対向配置されると共に、カム部２１が第１のコンタクト３，第２のコンタクト４の枢支部３３，４３に当接した後に摺動して枢支部３３，４３に対して回転係止して押圧する状態となるため、操作部材２の閉位置では第１のコンタクト３，第２のコンタクト４の接触部３１，４１がＦＰＣ５（その接続箇所である異なる位置のパッド５１）へ向けて押圧されて接続の安定性が確保される。
【００２２】
即ち、このような構造のコネクタの場合、ハウジング１に固定保持される各コンタクト３，４については、嵌合方向で接触部３１，４１を異なる箇所に持ち、且つ端子部３４，４４を互い反対方向の箇所に持つ２種のものを嵌合方向を含む平面上においてそれらのピッチ方向へ交互に列設し、回動操作に供される操作部材２については、ハウジング１における嵌合口１１の奥側に揃って位置されるコンタクト４の端子部４４を閉位置でカバー部２３により覆うものとし、更にＦＰＣ５との嵌合接続状態ではコンタクト３の嵌合口１１の手前側の端子部３４についてもＦＰＣ５により覆われる構造であるため、各コンタクト３，４が埃や塵に晒されるような使用条件下でもこれを十分に保護して導電性を安定して維持できると共に、突出部１２と凹部２４とが嵌合する構造であるために各コンタクト３，４の接触部３１，４１への埃や塵の進入を防ぐことができ、ＦＰＣ５が多様に狭ピッチ化された配線パターンを持つような場合（上述したように嵌合方向で異なる位置に接続箇所としてのパッド５１を有することを示す）の嵌合接続に際しても十分に対応し得る端子構造を有するものとなっている。
【図面の簡単な説明】
【００２３】
【図１】本発明の実施例１に係るコネクタの外観構成を接続相手部材との嵌合接続前状態で示した斜視図である。
【図２】図１に示すコネクタ単体の外観構成を別な方向から示した斜視図である。
【図３】図１に示すコネクタの基本構造を操作部材の開位置で第１のコンタクト部分を露呈するように嵌合方向に沿って断面にして示した側面図である。
【図４】図１に示すコネクタの基本構造を操作部材の開位置で第２のコンタクト部分を露呈するように嵌合方向に沿って断面にして示した側面図である。
【図５】図１に示すコネクタの細部構造を分解して示した斜視図である。
【図６】図１に示すコネクタの接続相手部材との嵌合接続状態を示した外観斜視図である。
【図７】図１に示すコネクタの接続相手部材との嵌合接続状態を別な方向から示した外観斜視図である。
【図８】図１に示すコネクタの接続相手部材との嵌合接続状態における細部構造を操作部材の閉位置で第１のコンタクト部分を露呈するように嵌合方向に沿って断面にして示した側面図である。
【図９】図１に示すコネクタの接続相手部材との嵌合接続状態における細部構造を操作部材の閉位置で第２のコンタクト部分を露呈するように嵌合方向に沿って断面にして示した側面図である。
【符号の説明】
【００２４】
１  ハウジング
１ａ  底壁
１ｂ  上壁
２  操作部材（アクチュエータ）
３，４  コンタクト
５  ＦＰＣ
１１  嵌合口
１２  突出部
２１  カム部
２２  リブ
２３  カバー部
２４  凹部
３１，４１  接触部
３２，４２  連結部
３３，４３  枢支部
３４，４４  端子部
５１  パッド
【図１】
2007122966.tif 000003
【図２】
2007122966.tif 000004
【図３】
2007122966.tif 000005
【図４】
2007122966.tif 000006
【図５】
2007122966.tif 000007
【図６】
2007122966.tif 000008
【図７】
2007122966.tif 000009
【図８】
2007122966.tif 000010
【図９】
2007122966.tif 000011